(57)【要約】【課題】  電源供給系統の異常と電源監視系統の異常とを、正しく切り分けることができない場合がある。【解決手段】  被監視装置が出力する被監視電圧に対応して入力される被判定電圧と、その被監視電圧の正常範囲の下限値を示す第１の閾値と、その第１の下限値より低い第２の閾値とに基づいて、所定の情報を出力する判定手段と、その被監視電圧がその第２の閾値未満の場合に、その被判定電圧をその第２の閾値以上であって前記第１の閾値未満の値に引き上げる最小電圧保障手段と、を含む。【選択図】      図１
2015036634.tif 000002
【特許請求の範囲】
【請求項１】
被監視装置が出力する被監視電圧に対応して入力される被判定電圧と、前記被監視電圧の正常範囲の下限値を示す第１の閾値と、前記第１の下限値より低い第２の閾値とに基づいて、所定の情報を出力する判定手段と、
前記被監視電圧が前記第２の閾値未満の場合に、前記被判定電圧を前記第２の閾値以上であって前記第１の閾値未満の値に引き上げる最小電圧保障手段と、
を含む電源監視装置。
【請求項２】
前記最小電圧保障手段は、保障用電圧出力手段と抵抗素子とを含み、
前記被監視装置は、前記被監視電圧を出力線に出力し、
前記保障用電圧出力手段は、直流電圧を出力し、前記出力線に前記抵抗素子を介して接続され、
前記判定手段は、前記出力線を接続され、前記出力線上の電圧を前記被判定電圧として入力され、
前記抵抗素子は、前記被監視電圧が正常範囲の最大値の場合に前記出力線上の電圧が第３の閾値以下になる抵抗値であって、かつ前記被監視電圧が前記第２の閾値未満の場合に前記出力線上の電圧が前記第２の閾値以上であって前記第１の閾値未満になる前記抵抗値を有する
ことを特徴とする請求項１記載の電源監視装置。
【請求項３】
前記判定手段は、前記被判定電圧が前記第１の閾値未満から前記第２の閾値以上までの範囲にある場合に前記被監視装置の異常と判定し、前記被判定電圧が前記第２の閾値以下にある場合に前記判定手段自身の異常と判定する
ことを特徴とする請求項１または２記載の電源監視装置。
【請求項４】
前記判定手段は、前記被監視装置の異常と判定した場合に、前記所定の情報として、前記異常と判定された前記被監視装置から電源を供給されている機器を停止させる必要があることを示す信号を出力する
ことを特徴とする請求項３記載の電源監視装置。
【請求項５】
前記判定手段は、前記判定手段自身の異常と判定した場合に、前記所定の情報として、前記判定手段自身の異常を示す情報を出力する
ことを特徴とする請求項３または４記載の電源監視装置。
【請求項６】
前記判定手段は、前記所定の情報として、複数の前記被監視装置の異常を示す情報及び前記判定手段における複数の部分の異常を示す情報のいずれか一方を出力する
ことを特徴とする請求項１乃至５のいずれか１項に記載の電源監視装置。
【請求項７】
請求項１乃至６のいずれか１項に記載の電源監視装置を含む情報処理装置。
【請求項８】
請求項１乃至６のいずれか１項に記載の電源監視装置を含む電源装置。
【請求項９】
被監視装置が出力する被監視電圧が、前記被監視電圧の正常範囲の下限値を示す第１の閾値より低い第２の閾値未満の場合に、前記被監視電圧に対応する被判定電圧を前記第２の閾値以上であって前記第１の閾値未満の値に引き上げる最小電圧保障手段を有する電源監視装置が、
前記被判定電圧を入力され、
前記入力された被判定電圧と、前記第１の閾値と、前記第２の閾値とに基づいて、所定の情報を出力する
電源監視方法。
【発明の詳細な説明】
【技術分野】
【０００１】
本発明は、電源監視の技術に関し、特に電源電圧の監視の技術に関する。
【背景技術】
【０００２】
電源の監視に関する様々な関連技術が知られている。
【０００３】
例えば、特許文献１は、電源装置を開示する。第１に、その電源装置は、その電源装置からの被監視電圧によりＩＣ（Ｉｎｔｅｇｒａｔｅｄ  Ｃｉｒｃｕｉｔ）回路部に印加されている、電源電圧を検出する回路電圧検出部を有する。第２に、その電源装置は、その電源電圧の検出結果と、そのＩＣ回路部の周囲温度を検出した結果とに基づいて、その被監視電圧を調整する。
【０００４】
このような装置では、回路電圧検出部が故障した場合、その電源電圧の不正な検出結果に基づいて動作するという問題点があった。
【０００５】
このような問題点を解決する技術が特許文献２に記載されている。特許文献２に記載のＤＣ−ＤＣ（Ｄｉｒｅｃｔ  Ｃｕｒｒｅｎｔ−Ｄｉｒｅｃｔ  Ｃｕｒｒｅｎｔ）コンバータシステムは、１次電圧が異常に低下した場合、バッテリとＤＣ−ＤＣコンバータとを接続する接続器の異常か、１次電圧を検出する１次電圧センサの異常かを判別する。そして、そのＤＣ−ＤＣコンバータシステムは、その判別結果に応じてＤＣ−ＤＣコンバータを制御する。
【０００６】
そのＤＣ−ＤＣコンバータシステムの統括制御部は、第１の下限電圧値とそれより低い第２の下限電圧閾値とに基づいて、上述の判別を行う。第１に、その統括制御部は、一次電圧がその第１の下限電圧値以下になってから所定の時間が経過した場合、その接続器の異常を確定する。第２に、その統括制御部は、その一次電圧がその第２の下限電圧値以下になってから所定の時間が経過した場合、その１次電圧センサの異常を確定する。
【先行技術文献】
【特許文献】
【０００７】
【特許文献１】特開平１０−３２３０１９号公報
【特許文献２】特開２０１０−１６１８９８号公報
【発明の概要】
【発明が解決しようとする課題】
【０００８】
しかしながら、上述した先行技術文献に記載された技術においては、電源供給系統の異常と電源監視系統の異常とを、正しく切り分けることができない場合があるという問題点がある。
【０００９】
その理由は、特許文献２が開示する技術においては、その一次電圧がその第２の下限電圧値以下になるような故障が電源供給系統（ここでは、その接続器）において発生した場合、その統括制御部がその１次電圧センサの異常を確定するからである。
【００１０】
例えば、ＣＰＵ（Ｃｅｎｔｒａｌ  Ｐｒｏｃｅｓｓｉｎｇ  Ｕｎｉｔ）やメモリなどを含むコンピュータシステムには、複数のＤＣ−ＤＣコンバータ（電圧変換装置）が搭載されている。そのＤＣ−ＤＣコンバータは、そのコンピュータシステムに供給されるＤＣ（Ｄｉｒｅｃｔ  Ｃｕｒｒｅｎｔ）電源からの出力電圧を、そのＣＰＵやメモリなどの仕様で決められる、電源電圧に変換する。
【００１１】
そのＤＣ−ＤＣコンバータが故障すると、そのＣＰＵやメモリなどに供給する電圧が電源電圧を超えてしまい、そのＣＰＵやメモリなどが誤動作する恐れがある。そのため、そのようなコンピュータシステムでは、このような誤動作が起きないように、そのＤＣ−ＤＣコンバータからそのＣＰＵやメモリなどに供給する電源電圧を電圧センサで測定し、監視手段がその電圧センサで測定された電圧値を監視する。
【００１２】
ここで、その電圧センサが故障した場合、その監視手段は不正なその電圧値を検出してしまう。そこで、その監視手段は、その電圧センサから取得した電圧値が異常であることを検出すると、２種類の電圧閾値と比較することによって、そのＤＣ−ＤＣコンバータの故障であるか、その電圧センサの故障であるかを判定する。ここで、その２種類の電圧閾値は、そのＣＰＵやメモリなどが動作可能な範囲を示す第１の電圧閾値及び電圧センサが正常に動作していることを示す第２の電圧閾値である。
【００１３】
しかしながら、故障したそのＤＣ−ＤＣコンバータが、その第２の電圧閾値を外れるような電源電圧を出力した場合、その監視手段は、その電圧センサの故障であると、誤って判断してしまう。
【００１４】
本発明の目的は、上述した問題点を解決できる電源監視装置、電源装置、情報処理システム及び電源監視方法を提供することにある。
【課題を解決するための手段】
【００１５】
本発明の電源監視装置は、被監視装置が出力する被監視電圧に対応して入力される被判定電圧と、前記被監視電圧の正常範囲の下限値を示す第１の閾値と、前記第１の下限値より低い第２の閾値とに基づいて、所定の情報を出力する判定手段と、前記被監視電圧が前記第２の閾値未満の場合に、前記被判定電圧を前記第２の閾値以上であって前記第１の閾値未満の値に引き上げる最小電圧保障手段と、を含む。
【００１６】
本発明の電源監視方法は、被監視装置が出力する被監視電圧が、前記被監視電圧の正常範囲の下限値を示す第１の閾値より低い第２の閾値未満の場合に、前記被監視電圧に対応する被判定電圧を前記第２の閾値以上であって前記第１の閾値未満の値に引き上げる最小電圧保障手段を有する電源監視装置が、前記被判定電圧を入力され、前記入力された被判定電圧と、前記第１の閾値と、前記第２の閾値とに基づいて、所定の情報を出力する。
【発明の効果】
【００１７】
本発明は、電源供給系統の異常と電源監視系統の異常とを、正しく切り分けることが可能になるという効果がある。
【図面の簡単な説明】
【００１８】
【図１】図１は、第１の実施形態に係る電源監視装置１００の構成を示すブロック図である。
【図２】図２は、第２の実施形態に係る電源監視装置２００の内部構成の一例を示すブロック図である。
【図３】図３は、第２の実施形態に係る判定出力部を実現するコンピュータのハードウェア構成を示すブロック図である。
【図４】図４は、第２の実施形態に係る電源監視装置を含む電源装置の構成を示すブロック図である。
【図５】図５は、第２の実施形態に係る電源監視装置を含む情報処理システムの構成を示すブロック図である。
【図６】図６は、第２の実施形態における電圧センサの故障発生時の被判定電圧の変化を説明する図である。
【図７】図７は、第２の実施形態におけるＤＣ−ＤＣコンバータの故障発生時の被判定電圧の変化を説明する図である。
【図８】図８は、関連技術に係る電源監視装置を含む情報処理システムの構成を示すブロック図である。
【図９】図９は、関連技術における電圧センサの故障発生時の被判定電圧の変化を説明する図である。
【図１０】図１０は、関連技術におけるＤＣ−ＤＣコンバータの故障発生時の被判定電圧の変化を説明する図である。
【発明を実施するための形態】
【００１９】
本発明を実施するための形態について図面を参照して詳細に説明する。尚、各図面及び明細書記載の各実施形態において、同様の構成要素には同様の符号を付与し、適宜説明を省略する。
【００２０】
＜＜＜第１の実施形態＞＞＞
図１は、本発明の第１の実施形態に係る電源監視装置１００の構成を示すブロック図である。
【００２１】
図１に示すように、本実施形態に係る電源監視装置１００は、判定部１１０と、最小電圧保障部１２０とを含む。
【００２２】
＝＝＝判定部１１０＝＝＝
判定部１１０は、被監視装置（不図示）が出力する被監視電圧８２０のそれぞれに対応して入力される被判定電圧８３０と、その被監視電圧８２０の正常範囲の下限値を示す異常低電圧閾値（第１の閾値）と、その異常低電圧閾値より低いセンサ故障閾値（第２の閾値）とに基づいて、判定結果（所定の情報とも呼ばれる）８６０を出力する。
【００２３】
被監視電圧８２０は、１または複数の任意の数であってよい。被監視電圧８２０のそれぞれは、任意の定格を有する電圧であってよい。換言すると、同じ定格の複数の被監視電圧８２０と異なる定格の被監視電圧８２０とのそれぞれが、その複数の被監視装置から出力され、電源監視装置１００に入力されてよい。
【００２４】
その異常低電圧閾値は、被監視電圧８２０のそれぞれに対応する値であってよい。換言すると、同じ定格の被監視電圧８２０のそれぞれの、その異常低電圧閾値は、異なってもよいし、同一であってもよい。また、異なる定格の被監視電圧８２０のそれぞれの、その異常低電圧閾値は、同一であってもよいし、異なってもよい。その異常低電圧閾値は、経験的に或いは理論的に、予め求められた値であってよい。
【００２５】
被判定電圧８３０は、最小電圧保障部１２０を介して、被監視電圧８２０のそれぞれに対応して判定部１１０に入力される。
【００２６】
例えば、判定部１１０は、被判定電圧８３０がその異常低電圧閾値未満かつそのセンサ故障閾値以上（第１の電圧範囲）である場合、その被判定電圧８３０に対応する被監視装置が異常であると判定する。また、判定部１１０は、被判定電圧８３０がそのセンサ故障閾値未満（第２の電圧範囲）である場合、判定部１１０自身の異常であると判定する。
【００２７】
即ち、そのセンサ故障閾値は、判定部１１０が被判定電圧８３０のそれぞれを監視する監視回路（不図示）の異常を判定するための閾値である。そのセンサ故障閾値は、その監視回路のそれぞれに対応する値であってよい。そのセンサ故障閾値は、経験的に或いは理論的に、予め求められた値であってよい。
【００２８】
判定結果８６０は、シャットダウン信号や操作者への通知などである。
【００２９】
その被監視装置が異常であると判定された場合、判定部１１０は、例えば、その異常と判定されたその被監視装置から電源を供給されている機器を停止させる必要があることを示す信号（シャットダウン信号）を、その機器に出力する。また、同様の場合、判定部１１０は、その異常と判定された被監視装置から電源を供給されている機器を停止させる必要があることを示すメッセージを、操作者に対して出力するようにしてもよい。
【００３０】
判定部１１０自身の異常であると判定された場合、判定部１１０は、判定部１１０自身の異常を示すメッセージを、操作者に対して出力するようにしてよい。
【００３１】
＝＝＝最小電圧保障部１２０＝＝＝
最小電圧保障部１２０は、被監視電圧８２０がそのセンサ故障閾値未満の場合に、被判定電圧８３０をそのセンサ故障閾値以上であってその異常低電圧閾値未満の値に引き上げる。換言すると、最小電圧保障部１２０は、その被監視装置から出力される被監視電圧８２０が、判定部１１０自身の異常を示す第２の電圧範囲内の値であっても、判定部１１０に入力される被判定電圧８３０をその被監視装置の異常を示す第１の電圧範囲内の値になるように、電圧調整する。
【００３２】
上述した本実施形態における効果は、電源供給系統（例えば、その被監視装置）の異常と電源監視系統（例えば、判定部１１０）の異常とを、正しく切り分けることが可能になるという効果がある。
【００３３】
その理由は、最小電圧保障部１２０が、被判定電圧８３０をそのセンサ故障閾値以上であってその異常低電圧閾値未満の値に引き上げ、判定部１１０が、被判定電圧８３０に基づいて異常箇所を判定するようにしたからである。
【００３４】
＜＜＜第２の実施形態＞＞＞
次に、本発明の第２の実施形態について図面を参照して詳細に説明する。以下、本実施形態の説明が不明確にならない範囲で、前述の説明と重複する内容については説明を省略する。
【００３５】
図２は、本発明の第２の実施形態に係る電源監視装置２００の構成を示すブロック図である。
【００３６】
図２に示すように、本実施形態における電源監視装置２００は、判定部２１０及び最小電圧保障部２２０を含む。
【００３７】
＝＝＝最小電圧保障部２２０＝＝＝
最小電圧保障部２２０は、プルアップ抵抗２２１、プルアップ抵抗２２２及びＤＣ−ＤＣコンバータ２２３を含む。最小電圧保障部２２０の機能は、図１に示す最小電圧保障部１２０と同等である。
【００３８】
＝＝＝プルアップ抵抗２２１＝＝＝
プルアップ抵抗２２１は、一般的に抵抗素子とも呼ばれる。プルアップ抵抗２２１は、ＤＣ−ＤＣコンバータ２２３と被監視電圧８２１が出力された出力線２３１との間に実装される。
【００３９】
プルアップ抵抗２２１は、被監視電圧８２１がそのセンサ故障閾値未満である場合、出力線２３１上の電圧が少なくともそのセンサ故障閾値以上であってその異常低電圧閾値未満の値になる抵抗値を有する。かつ、その抵抗値は、被監視電圧８２１が正常範囲の最大値の場合、出力線２３１上の電圧が異常高電圧閾値（第３の閾値）以下になる抵抗値である。ここで、異常高電圧閾値は、出力線２３１上の電圧がその異常高電圧閾値以上になった場合に、その情報処理システムにおける動作が正常に実行されなくなる可能性のある電圧値を示す。
【００４０】
換言すると、プルアップ抵抗２２１から出力される電圧は、出力線２３１上の電圧を、少なくともそのセンサ故障閾値以上になるように、引き上げる。
【００４１】
＝＝＝プルアップ抵抗２２２＝＝＝
プルアップ抵抗２２２は、一般的に抵抗素子とも呼ばれる。プルアップ抵抗２２２は、ＤＣ−ＤＣコンバータ２２３と被監視電圧８２２が出力された出力線２３２との間に実装される。
【００４２】
プルアップ抵抗２２２は、被監視電圧８２２がそのセンサ故障閾値未満である場合、出力線２３２上の電圧が少なくともそのセンサ故障閾値以上であってその異常低電圧閾値未満の値になる抵抗値を有する。かつ、その抵抗値は、被監視電圧８２２が正常範囲の最大値の場合、出力線２３２上の電圧が異常高電圧閾値（第３の閾値）以下になる抵抗値である。ここで、異常高電圧閾値は、出力線２３２上の電圧がその異常高電圧閾値以上になった場合に、その情報処理システムにおける動作が正常に実行されなくなる可能性のある電圧値を示す。
【００４３】
換言すると、プルアップ抵抗２２２から出力される電圧は、出力線２３２上の電圧を、少なくともそのセンサ故障閾値以上になるように、引き上げる。
【００４４】
＝＝＝ＤＣ−ＤＣコンバータ２２３＝＝＝
ＤＣ−ＤＣコンバータ２２３は、保障用電圧出力手段とも呼ばれる。ＤＣ−ＤＣコンバータ２２３は、プルアップ抵抗２２１及びプルアップ抵抗２２２のそれぞれを介して、出力線２３１及び出力線２３２に電圧を出力する。
【００４５】
＝＝＝判定部２１０＝＝＝
判定部２１０は、電圧センサ２１１、電圧センサ２１２及び判定出力部２１３を含む。判定部２１０の機能は、実質的に、図１に示す判定部１１０と同等である。
【００４６】
＝＝＝電圧センサ２１１＝＝＝
電圧センサ２１１は、出力線２３１上の電圧を被判定電圧８３１として入力される。電圧センサ２１１は、入力された被判定電圧８３１を、例えば、ミリボルト単位の数値で示す電圧値に変換し、判定出力部２１３に出力する。
【００４７】
＝＝＝電圧センサ２１２＝＝＝
電圧センサ２１２は、出力線２３２上の電圧を被判定電圧８３２として入力される。電圧センサ２１２は、入力された被判定電圧８３２を、例えば、ミリボルト単位の数値で示す電圧値に変換し、判定出力部２１３に出力する。
【００４８】
＝＝＝判定出力部２１３＝＝＝
判定出力部２１３は、それらの電圧値、その異常低電圧閾値及びそのセンサ故障閾値に基づいて、判定結果８６０を外部に出力する。
【００４９】
例えば、判定部２１０は、被判定電圧８３１の電圧値がその異常低電圧閾値未満かつそのセンサ故障閾値以上である場合、ＤＣ−ＤＣコンバータ４０１（被監視装置）が異常であると判定する。また、判定部２１０は、被判定電圧８３１の電圧値がそのセンサ故障閾値未満である場合、電圧センサ２１１（判定部１１０自身）の異常であると判定する。
【００５０】
例えば、判定部２１０は、被判定電圧８３２の電圧値がその異常低電圧閾値未満かつそのセンサ故障閾値以上である場合、ＤＣ−ＤＣコンバータ４０２（被監視装置）が異常であると判定する。また、判定部２１０は、被判定電圧８３２の電圧値がそのセンサ故障閾値未満である場合、電圧センサ２１２（判定部１１０自身）の異常であると判定する。
【００５１】
判定出力部２１３は、コンピュータにより実現されてもよい。
【００５２】
図３は、本実施形態における判定出力部２１３を実現するコンピュータ７００のハードウェア構成を示す図である。
【００５３】
図３に示すように、コンピュータ７００は、ＣＰＵ（Ｃｅｎｔｒａｌ  Ｐｒｏｃｅｓｓｉｎｇ  Ｕｎｉｔ）７０１、記憶部７０２、記憶装置７０３、入力部７０４、出力部７０５及び通信部７０６を含む。更に、コンピュータ７００は、外部から供給される記録媒体（または記憶媒体）７０７を含む。記録媒体７０７は、情報を非一時的に記憶する不揮発性記録媒体であってもよい。
【００５４】
ＣＰＵ７０１は、オペレーティングシステム（不図示）を動作させて、コンピュータ７００の、全体の動作を制御する。また、ＣＰＵ７０１は、例えば記憶装置７０３に装着された記録媒体７０７から、プログラムやデータを読み込み、読み込んだプログラムやデータを記憶部７０２に書き込む。
【００５５】
そして、ＣＰＵ７０１は、読み込んだプログラムに従って、また読み込んだデータに基づいて、図２に示す判定出力部２１３として各種の処理を実行する。
【００５６】
尚、ＣＰＵ７０１は、通信網（不図示）に接続されている外部コンピュータ（不図示）から、記憶部７０２にプログラムやデータをダウンロードするようにしてもよい。
【００５７】
記憶部７０２は、プログラムやデータを記憶する。記憶部７０２は、その異常低電圧閾値や、そのセンサ故障閾値を記憶してよい。
【００５８】
記憶装置７０３は、例えば、光ディスク、フレキシブルディスク、磁気光ディスク、外付けハードディスク及び半導体メモリであって、記録媒体７０７を含む。記憶装置７０３（記録媒体７０７）は、プログラムをコンピュータ読み取り可能に記憶する。また、記憶装置７０３は、データを記憶してもよい。記憶装置７０３は、その異常低電圧閾値や、そのセンサ故障閾値を記憶してよい。
【００５９】
入力部７０４は、例えばマウスやキーボード、内蔵のキーボタンなどで実現され、入力操作に用いられる。入力部７０４は、マウスやキーボード、内蔵のキーボタンに限らず、例えばタッチパネルなどでもよい。
【００６０】
出力部７０５は、例えばディスプレイで実現され、出力を確認するために用いられる。
【００６１】
通信部７０６は、外部とのインタフェースを実現する。
【００６２】
以上説明したように、図２に示す判定出力部２１３は、図３に示すハードウェア構成のコンピュータ７００によって実現される。但し、コンピュータ７００が備える各部の実現手段は、上記に限定されない。すなわち、コンピュータ７００は、物理的に結合した１つの装置により実現されてもよいし、物理的に分離した２つ以上の装置を有線または無線で接続し、これら複数の装置により実現されてもよい。
【００６３】
尚、上述のプログラムのコードを記録した記録媒体７０７が、コンピュータ７００に供給され、ＣＰＵ７０１は、記録媒体７０７に格納されたプログラムのコードを読み出して実行するようにしてもよい。或いは、ＣＰＵ７０１は、記録媒体７０７に格納されたプログラムのコードを、記憶部７０２、記憶装置７０３またはその両方に格納するようにしてもよい。すなわち、本実施形態は、コンピュータ７００（ＣＰＵ７０１）が実行するプログラム（ソフトウェア）を、一時的にまたは非一時的に、記憶する記録媒体７０７の実施形態を含む。尚、情報を非一時的に記憶する記憶媒体は、不揮発性記憶媒体とも呼ばれる。
【００６４】
以上が、本実施形態における判定出力部２１３を実現するコンピュータ７００についての説明である。
【００６５】
図４は、電源監視装置２００を含む電源装置の一例を示す図である。図４に示すように、その電源装置は、電源監視装置２００、ＤＣ−ＤＣコンバータ４０１及びＤＣ−ＤＣコンバータ４０２を含む。尚、ＤＣ−ＤＣコンバータ４０１及びＤＣ−ＤＣコンバータ４０２への直流電力の供給手段は、図示しない。
【００６６】
＝＝＝ＤＣ−ＤＣコンバータ４０１＝＝＝
ＤＣ−ＤＣコンバータ４０１は、ＣＰＵ５０１に供給する電力を、出力線２３１に出力する。換言すると、ＤＣ−ＤＣコンバータ４０１は、出力線２３１に被監視電圧８２１を出力する。
【００６７】
＝＝＝ＤＣ−ＤＣコンバータ４０２＝＝＝
ＤＣ−ＤＣコンバータ４０２は、メモリ５０２に供給する電力を、出力線２３２に出力する。換言すると、ＤＣ−ＤＣコンバータ４０２は、出力線２３２に被監視電圧８２２を出力する。
【００６８】
図５は、その電源装置を含む情報処理システムの一例を示す図である。図５に示すように、その情報処理システムは、電源監視装置２００、ＤＣ−ＤＣコンバータ４０１、ＤＣ−ＤＣコンバータ４０２、ＣＰＵ５０１及びメモリ５０２を含む。尚、その情報処理システムは、図５に示す以外の任意のユニットを含んでよい。
【００６９】
＝＝＝ＣＰＵ５０１＝＝＝
ＣＰＵ５０１は、その情報処理システムの主プロセッサである。
【００７０】
＝＝＝メモリ５０２＝＝＝
メモリ５０２は、その情報処理システムの主メモリである。
【００７１】
次に本実施形態の動作について、図２〜図７を参照して詳細に説明する。
【００７２】
図６及び図７は、電圧センサ２１２及びＤＣ−ＤＣコンバータ４０２のそれぞれの故障発生時における、被判定電圧８３２の変化を説明する図である。
【００７３】
図６に示すグラフにおいて、横軸は時刻を、縦軸は電圧［ｖ（ｖｏｌｔ）］を示す。また、判定部２１０に入力される被判定電圧８３２の電圧値［ｖ］を実線で示し、ＤＣ−ＤＣコンバータ４０２から出力される被監視電圧８２２を点線で示す。尚、その実線やその点線は、それらの電圧の値を厳密に示すものではなく、それらの電圧の変化を示すものである。即ち、時刻「ｔ０」から時刻「ｔ２」までの間において、被監視電圧８２２の点線と被判定電圧８３２の点線とは、上下に分かれて記載されているが、実際には重なっていてもよいものとする。また、時刻「ｔ２」から後において、被判定電圧８３２は「０［ｖ］」から離れて記載されているが、実際には「０［ｖ］」上にあってもよいものとする。
【００７４】
図６に示すグラフにおいて、異常低電圧閾値８４２は、メモリ５０２が動作可能な電圧の下限値を示す。
【００７５】
また、図６に示すグラフにおいて、センサ故障閾値８５２は、電圧センサ２１２が故障しているか否かを、判定出力部２１３が判定するための電圧閾値である。判定出力部２１３は、電圧センサ２１２の出力する電圧値がセンサ故障閾値８５２以下である場合に、電圧センサ２１２が故障していると判定する。ここでは、センサ故障閾値８５２は、図２に示す最小電圧保障部２２０のプルアップ抵抗２２２が出力する電圧値に設定されるものとする。換言すると、プルアップ抵抗２２２は、センサ故障閾値８５２の電圧値の電圧を出力する。
【００７６】
上述したように、判定出力部２１３は、電圧センサ２１２から取得した電圧値（即ち、実線で示す被判定電圧８３２）がセンサ故障閾値８５２以上であって、異常低電圧閾値８４２未満の場合、ＤＣ−ＤＣコンバータ４０２の故障であると判定する。同様に、判定出力部２１３は、その電圧値がセンサ故障閾値８５２未満の場合、電圧センサ２１２の故障であると判定する。
【００７７】
図６を参照すると、時刻「ｔ０」から時刻「ｔ２」の直前までにおいて、被判定電圧８３２は正常である。従って、この時刻「ｔ０」から時刻「ｔ２」直前までにおいて、判定出力部２１３が電圧センサ２１２から取得する電圧値は、正常な値である。
【００７８】
次に、時刻「ｔ２」では電圧センサ２１２の故障が発生し、被判定電圧８３２は「０［ｖ］」となる。従って、判定出力部２１３が電圧センサ２１２から取得する電圧値も「０［ｖ］」に変化する。
【００７９】
従って、判定出力部２１３は、時刻「ｔ２」の直後において、その電圧値がセンサ故障閾値８５２よりも小さい値であるため、電圧センサ２１２の故障と判定する。
【００８０】
図７を参照すると、時刻「ｔ０」から「ｔ２」の直前までにおいて、被判定電圧８３２は正常である。従って、この時刻「ｔ０」から時刻「ｔ２」直前までにおいて、判定出力部２１３が電圧センサ２１２から取得する電圧値は、正常な値である。
【００８１】
次に、時刻「ｔ２」でＤＣ−ＤＣコンバータ４０２の故障が発生し、被監視電圧８２２は「０［ｖ］」となる。一方、被判定電圧８３２は、プルアップ抵抗２２２からの出力電圧により、少なくともセンサ故障閾値８５２以上の電圧値となる。従って、判定出力部２１３が電圧センサ２１２から取得する電圧値は、センサ故障閾値８５２以上の電圧値となる。
【００８２】
従って、判定出力部２１３は、時刻「ｔ２」の直後において、その電圧値がセンサ故障閾値８５２以上で、異常低電圧閾値８４２未満であるため、ＤＣ−ＤＣコンバータ４０２の故障と判定する。
【００８３】
以上が本実施形態の動作の説明である。
【００８４】
次に、本実施形態との対比のために、関連技術について説明する。
【００８５】
図８は、関連技術に係る電源監視装置９００を含む情報処理システムの構成を示すブロック図である。
【００８６】
図８に示す情報処理システムは、電源監視装置９００、ＤＣ−ＤＣコンバータ４０１、ＤＣ−ＤＣコンバータ４０２、ＣＰＵ５０１及びメモリ５０２を含む。
【００８７】
電源監視装置９００は、電圧センサ９１１、電圧センサ９１２及び判定出力部９１３を含む。
【００８８】
電圧センサ９１１、電圧センサ９１２及び判定出力部９１３のそれぞれは、図２に示す電圧センサ２１１、電圧センサ２１２及び判定出力部２１３のそれぞれと同等の機能を有する。
【００８９】
図９は、電圧センサ９１２の故障発生時における、電圧センサ９１２の出力する電圧値（以後、「電圧値Ｖｏｕｔ」と呼ぶ）の変化を説明する図である。尚、電圧値Ｖｏｕｔは、図８に示す出力線２３２上の電圧の値である。
【００９０】
図９を参照すると、時刻「ｔ０」から時刻「ｔ２」の直前までにおいて、電圧値Ｖｏｕｔは正常である。従って、この時刻「ｔ０」から時刻「ｔ２」直前までにおいて、判定出力部９１３が電圧センサ９１２から取得する電圧値は、正常な値である。
【００９１】
次に、時刻「ｔ２」では電圧センサ９１２の故障が発生し、電圧値Ｖｏｕｔは「０［ｖ］」となる。従って、判定出力部９１３が電圧センサ９１２から取得する電圧値も「０［ｖ］」に変化する。
【００９２】
従って、判定出力部９１３は、時刻「ｔ２」の直後において、その電圧値がセンサ故障閾値８５２よりも小さい値であるため、電圧センサ９１２の故障と判定する。
【００９３】
図１０は、ＤＣ−ＤＣコンバータ４０２の故障発生時における、電圧値Ｖｏｕｔの変化を説明する図である。
【００９４】
図１０を参照すると、時刻「ｔ０」から「ｔ２」の直前までにおいて、電圧値Ｖｏｕｔは正常である。従って、この時刻「ｔ０」から時刻「ｔ２」直前までにおいて、判定出力部９１３が電圧センサ９１２から取得する電圧値は、正常な値である。
【００９５】
次に、時刻「ｔ２」でＤＣ−ＤＣコンバータ４０２の故障が発生し、電圧値Ｖｏｕｔは「０［ｖ］」となる。従って、判定出力部９１３が電圧センサ９１２から取得する電圧値も「０［ｖ］」に変化する。
【００９６】
従って、判定出力部９１３は、時刻「ｔ２」の直後において、その電圧値がセンサ故障閾値８５２よりも小さい値であるため、電圧センサ９１２の故障と判定する。即ち、判定出力部９１３は、実際にはＤＣ−ＤＣコンバータ４０２の故障であるにもかかわらず、電圧センサ９１２の故障であると誤って判定する。
【００９７】
以上が関連技術についての説明である。
【００９８】
以上の本実施形態の説明において、電源監視装置２００は出力線２３１（被判定電圧８３１）及び出力線２３２（被判定電圧８３２）の２つを入力されるが、電源監視装置２００に入力される出力線（被判定電圧）は、任意の数であってよい。そして、電源監視装置２００は、その入力される出力線（被判定電圧）のそれぞれに対応するプルアップ抵抗及び電圧センサを含んでよい。
【００９９】
換言すると、被監視電圧を出力するＤＣ−ＤＣコンバータは、任意の数であってよい。例えば、そのＤＣ−ＤＣコンバータは、ＣＰＵ５０１及びメモリ５０２以外のユニット用のＤＣ−ＤＣコンバータである。また、そのＤＣ−ＤＣコンバータは、複数の直流電源を必要とするＣＰＵ、メモリ及び他のユニット用のＤＣ−ＤＣコンバータである。
【０１００】
例えば、最小電圧保障部２２０のＤＣ−ＤＣコンバータ２２３は、ＤＣ−ＤＣコンバータ４０１及びＤＣ−ＤＣコンバータ４０２へ直流電力を供給する供給手段（不図示）から直流電力を供給される。この場合、その供給手段から直流電力が供給されなくなると、最小電圧保障部２２０も出力線２３１及び出力線２３２に対して保障用の電圧を出力しないため、判定部２１０は、電圧センサ２１１及び電圧センサ２１２の故障と判定する。そして、判定部２１０は、電圧センサ２１１及び電圧センサ２１２の両方の故障を纏めて、判定結果８６０として出力する。
【０１０１】
また、最小電圧保障部２２０のＤＣ−ＤＣコンバータ２２３は、ＤＣ−ＤＣコンバータ４０１及びＤＣ−ＤＣコンバータ４０２へ直流電力を供給する第１の供給手段（不図示）とは異なる第２の供給手段（不図示）から直流電力を供給されてもよい。この場合、その第１の供給手段から直流電力が供給されなくなっても、最小電圧保障部２２０は出力線２３１及び出力線２３２に対して保障用の電圧を出力するため、判定部２１０は、ＤＣ−ＤＣコンバータ４０１及びＤＣ−ＤＣコンバータ４０２の故障と判定する。そして、判定部２１０は、ＤＣ−ＤＣコンバータ４０１及びＤＣ−ＤＣコンバータ４０２の両方の故障を纏めて、判定結果８６０として出力する。
【０１０２】
上述した本実施形態における第１の効果は、第１の実施形態と同様に、ＤＣ−ＤＣコンバータ４０１及びＤＣ−ＤＣコンバータ４０２のそれぞれ故障と電圧センサ２１１及び電圧センサ２１２のそれぞれの故障とを、正しく判定することが可能になる点である。
【０１０３】
その理由は、以下のような構成を含むからである。即ち、第１に、最小電圧保障部２２０のプルアップ抵抗２２１及びプルアップ抵抗２２２から保障用の電圧を出力し、被判定電圧８３１及び被判定電圧８３２をそのセンサ故障閾値以上であってその異常低電圧閾値未満の値に引き上る。第２に、判定部２１０が被判定電圧８３１及び被判定電圧８３２に基づいて異常箇所を判定する。
【０１０４】
上述した本実施形態における第２の効果は、第１の供給手段の故障を示す判定結果８６０を出力することが可能になる点である。
【０１０５】
その理由は、判定部２１０が、電圧センサ２１１及び電圧センサ２１２の両方の故障を纏めて、またはＤＣ−ＤＣコンバータ４０１及びＤＣ−ＤＣコンバータ４０２の両方の故障を纏めて、判定結果８６０として出力するようにしたからである。
【０１０６】
以上の各実施形態で説明した各構成要素は、必ずしも個々に独立した存在である必要はない。例えば、各構成要素は、複数の構成要素が１個のモジュールとして実現されてよい。また、各構成要素は、１つの構成要素が複数のモジュールで実現されてもよい。また、各構成要素は、ある構成要素が他の構成要素の一部であるような構成であってよい。また、各構成要素は、ある構成要素の一部と他の構成要素の一部とが重複するような構成であってもよい。
【０１０７】
以上説明した各実施形態における各構成要素及び各構成要素を実現するモジュールは、必要に応じ、可能であれば、ハードウェア的に実現されてよい。また、各構成要素及び各構成要素を実現するモジュールは、コンピュータ及びプログラムで実現されてよい。また、各構成要素及び各構成要素を実現するモジュールは、ハードウェア的なモジュールとコンピュータ及びプログラムとの混在により実現されてもよい。
【０１０８】
更に、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【０１０９】
更に、以上説明した各実施形態では、ある動作が他の動作の契機になるように記載しているが、その記載はある動作と他の動作との全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【０１１０】
以上、各実施形態及び実施例を参照して本発明を説明したが、本発明は上記実施形態及び実施例に限定されるものではない。本発明の構成や詳細には、本発明のスコープ内で当業者が理解しえるさまざまな変更をすることができる。
【符号の説明】
【０１１１】
１００    電源監視装置
１１０    判定部
１２０    最小電圧保障部
２００    電源監視装置
２１０    判定部
２１１    電圧センサ
２１１    電圧センサ電圧センサ
２１２    電圧センサ
２１３    判定出力部
２２０    最小電圧保障部
２２１    プルアップ抵抗
２２２    プルアップ抵抗
２２３    ＤＣ−ＤＣコンバータ
２３１    出力線
２３２    出力線
４０１    ＤＣ−ＤＣコンバータ
４０２    ＤＣ−ＤＣコンバータ
５０１    ＣＰＵ
５０２    メモリ
７００    コンピュータ
７０１    ＣＰＵ
７０２    記憶部
７０３    記憶装置
７０４    入力部
７０５    出力部
７０６    通信部
７０７    記録媒体
８２０    被監視電圧
８２１    被監視電圧
８２２    被監視電圧
８３０    被判定電圧
８３１    被判定電圧
８３２    被判定電圧
８４２    異常低電圧閾値
８５２    センサ故障閾値
８６０    判定結果
９００    電源監視装置
９１１    電圧センサ
９１２    電圧センサ
９１３    判定出力部
【図１】
2015036634.tif 000003
【図２】
2015036634.tif 000004
【図３】
2015036634.tif 000005
【図４】
2015036634.tif 000006
【図５】
2015036634.tif 000007
【図６】
2015036634.tif 000008
【図７】
2015036634.tif 000009
【図８】
2015036634.tif 000010
【図９】
2015036634.tif 000011
【図１０】
2015036634.tif 000012